(57)【特許請求の範囲】
【請求項１】
多数の刃孔が設けられた仕上げ用の主刃と、主刃の近傍に配され、且つ刃先は主刃から遠ざかる方向に向けられたトリマー刃と、トリマー刃の刃先の方向にトリマー刃の肌に対する面圧を規制する肌当たりガイドと、前記主刃、トリマー刃及び肌当たりガイドが取り付けられる刃フレームとを有し、主刃の頂部と、トリマー刃の刃先と、肌当たりガイドの頂部とが略同一直線上に配置された往復式電気かみそりにおいて、トリマー刃と肌当たりガイドが、刃フレームに対して、主刃とは独立して一体にフロート自在であり、且ついずれか一方が上下方向に移動してトリマー刃が肌当たりガイドに対して独立して突出状態になることを特徴とする往復式電気かみそり。
【請求項２】
肌当たりガイドがトリマー刃に対して独立して下方へ下がるようにしたことを特徴とする請求項１記載の往復式電気かみそり。
【請求項３】
肌当たりガイドとトリマー刃がフックで結合されていることを特徴とする請求項１記載の往復式電気かみそり。
【請求項４】
肌当たりガイドとトリマー刃がリンクで結合されていることを特徴とする請求項１記載の往復式電気かみそり。
【請求項５】
トリマー刃が突出した状態で肌当たりガイドとトリマー刃の間に隙間を設けたことを特徴とする請求項１記載の往復式電気かみそり。
【請求項６】
刃フレームと肌当たりガイドの接触面よりも、肌当たりガイドとトリマー刃の接触面を小さくしたことを特徴とする請求項１記載の往復式電気かみそり。
【請求項７】
肌当たりガイドがコーム形状からなることを特徴とする請求項１記載の往復式電気かみそり。
【発明の詳細な説明】
【０００１】
【発明の属する技術分野】
本発明は、多数の刃孔が設けられた仕上げ用の主刃と、主刃の近傍に配され、且つ刃先は主刃から遠ざかる方向に向けられたトリマー刃と、トリマー刃の刃先の方向にトリマー刃の肌に対する面圧を規制する肌当たりガイドとを有した往復式電気かみそりに関するものである。
【０００２】
【従来の技術】
従来より、往復式電気かみそりとして例えば、特開平４−２３１９９４号公報に示されるように主刃とトリマー刃の肌への密着を良くするためにトリマー刃を上下動自在にフロート支持するようにしたものがある。このものは一定の当て角度で使用した場合には確かにトリマー刃と主刃が肌に密着し、肌当たりも良いものである。
【０００３】
【発明が解決しようとする課題】
ところが、従来では肌当たりガイドが刃フレームと一体に形成されているため、トリマー刃がフロートすることによって肌当たりガイドとの最適な高さ関係が保たれなくなり、毛の導入性能が悪くなってしまうという問題があった。
本発明は上記問題点の解決を目的とするものであり、トリマー刃と肌当たりガイドが一体にフロートするため肌当たりが良く、肌面の傾斜や凹凸にもトリマー刃が追従するため、粗剃りと主刃による仕上げ剃りが容易にでき、際剃りも毛が狙い易く仕上がりが良好な往復式電気かみそりを提供しようとするものである。
【０００４】
【課題を解決するための手段】
上記目的を達成するために、請求項１の発明では、多数の刃孔が設けられた仕上げ用の主刃１と、主刃１の近傍に配され、且つ刃先は主刃１から遠ざかる方向に向けられたトリマー刃２と、トリマー刃２の刃先の方向にトリマー刃２の肌に対する面圧を規制する肌当たりガイド３と、前記主刃１、トリマー刃２及び肌当たりガイド３が取り付けられる刃フレーム４とを有し、主刃１の頂部と、トリマー刃２の刃先と、肌当たりガイド３の頂部とが略同一直線上に配置された往復式電気かみそりにおいて、トリマー刃２と肌当たりガイド３が、刃フレーム４に対して、主刃１とは独立して一体にフロート自在であり、且ついずれか一方が上下方向に移動してトリマー刃２が独立して突出状態になることを特徴とするものであり、トリマー刃２が独立して突出状態となることによって、肌面の凹凸や傾斜にトリマー刃２・主刃１が追従するために剃り残しがなく、速く短く剃ることができるものであり、また、トリマー刃２が肌当たりガイド３に対して独立して突出するようにしたので、毛が狙い易く際剃りを容易にすることができる。
【０００５】
請求項２の発明では、請求項１において肌当たりガイド３がトリマー刃２に対して独立して下方へ下がるようにしたことを特徴とするものであり、毛が狙い易く際剃りを容易にすることができる。
【０００６】
請求項３の発明では、請求項１において肌当たりガイド３とトリマー刃２がフック３ａで結合されていることを特徴とするものであり、トリマー刃２を独立して突出させる際のボタンにおける操作力を小さくすることができ、容易にトリマー刃２を上下操作することができる。
請求項４の発明では、請求項１において肌当たりガイド３とトリマー刃２がリンク５０で結合されていることを特徴とするものであり、突出されたトリマー刃２を下げる際に肌当たりガイド３がそれに連動されて一緒に下がることなく、確実にトリマー刃２の上下操作をさせることができる。
【０００７】
請求項５の発明では、請求項１においてトリマー刃２が突出した状態で肌当たりガイド３とトリマー刃２の間に隙間を設けたことを特徴とするものであり、仕上げ剃りをする際のトリマー刃２を下げて使用する時に、トリマー刃２と肌当たりガイド３間に毛屑が溜まっていないため、良好な切れ味とすることができる。
請求項６の発明では、請求項１において刃フレーム４と肌当たりガイド３の接触面よりも、肌当たりガイド３とトリマー刃２の接触面を小さくしたことを特徴とするものであり、石鹸剃りをした後、その石鹸がトリマー刃２・肌当たりガイド３間と肌当たりガイド３・刃フレーム４間に固着しても、接触面の小さなトリマー刃２・肌当たりガイド３間の方が先に固着より外れるため肌当たりガイド３がトリマー刃２に連結されることなく確実にトリマー刃２の上下動作をさせることができる。
【０００８】
請求項７の発明では、請求項１において肌当たりガイド３がコーム形状からなることを特徴とするものであり、トリマー刃２への毛の導入が良くなるため、より速く短く仕上げることができる。
【０００９】
【発明の実施の形態】
本発明における往復式電気かみそりは、図１乃至図１１に示されるようにモータを内蔵した本体５の上端に刃フレーム４を介して主刃１における外刃１０と、その内面に摺接する内刃８と、一対のトリマー刃２，２が取り付けられたものであり、各トリマー刃２，２は後述するトリマー基台３５上でトリマーカバー２２の下面に固定刃２０と可動刃２１及び固定刃２０の可動刃２１を押し付ける押さえばね２３とを取り付けることで構成されており、これら主刃１とトリマー刃２とをそれぞれ独立して上下フロート自在に支持されたものとして構成されている。
【００１０】
主刃１の外刃１０は矩形枠状に形成された外刃枠９に取り付けられていて、この取り付けは外刃枠９から突設した複数個のボス９１を外刃１０の両側に設けた取り付け孔に挿入してシールすることで行われている。
このように外刃１０が取り付けられた外刃枠９は図３、図５に示されるように刃フレーム４に取り付けられる。この刃フレーム４は図５、図６に示されるように上下に開口する長方形状の矩形筒状に形成され、その長手方向の両端の内壁面には係止突起１３と、この係止突起１３の下方に位置するストッパ１４とを備えている。
【００１１】
そして、長手方向両端に弾性片１５を有すると共に両端上面に平面部１６を有している外刃枠９を該刃フレーム４の下方側から押し込むことにより、外刃枠９の弾性片１５の先端がストッパ１４に接するようにして外刃枠９が刃フレーム４に対してがたつきなくフロート自在に取り付けられるものである。
一方、主刃１の内刃８は多数の内刃ブレード８１が内刃基台８８の上面に平行に並設されており、この内刃８は駆動子２００と連結駆動子２１０とによって往復駆動されるようになっている。
【００１２】
外刃枠９の側面にはボス１８が突設されており、このボス１８がトリマー刃２のトリマー基台３５に設けた係止溝６５に挿入されることにより、トリマー刃２のフロート時にボス１８が係止溝６５の上端に係止することで主刃１とトリマー刃２とが一体的にフロートできる構造となっている。尚、図５中符号１７は外刃枠９の取り外しを容易にするための指掛け突起であり、ボス１８と反対側に設けられている。
【００１３】
駆動子２００の上端部には連結駆動子２１０が連結されるようになっている。この連結駆動子２１０の両側面（各刃１，２の往復動方向の両面）には図７に示されるようにフック孔３０がそれぞれ形成されており、このフック孔３０に駆動子２００より突設したフック２８を上下方向に係合させることにより連結駆動子２１０は駆動子２００に対して上下フロート自在に連結されると共に、駆動子２００内には連結駆動子２１０を上方に常にバネ付勢するための圧縮コイルバネ２９が収納配置される。
【００１４】
また、連結駆動子２１０の上端部には筒状の孔部３３ａが形成されており、内刃基台８８から突設させた球状の連結ボス３１を該連結駆動子２１０の孔部３３ａに上方から差し込んだ状態で連結駆動子２１０の上端に設けたフック３３が連結ボス３１に係止することで連結駆動子２１０は駆動子２００に対して抜け止め状態で連結され、これにより駆動子２００の揺動を連結駆動子２１０を介して内刃８に伝達して内刃８を往復駆動させるようになっている。さらに、連結駆動子２１０の両端面（各刃１，２の往復動方向と直交する方向の両面）には後述するトリマー刃２を駆動するための一対のＵ字状のリブ状となった伝達部２１１，２１１がそれぞれ一体に突設されており、この伝達部２１１はトリマー刃２が上下方向に所定量以上移動した際にこのトリマー刃２に追随して上下フロート自在の連結駆動子２１０を主刃１と共に上下移動させるようになっている。
【００１５】
次に、主刃１の両側に配される一対のトリマー刃２と、トリマー刃２の主刃１とは反対側に形成される肌当たりガイド３について説明する。
トリマー刃２は、図５に示されるようにトリマー基台３５と、トリマー基台３５の上面に嵌合突起３６との嵌合で固定される固定刃２０と、この固定刃２０の上面側に配されると共に嵌合突起３６によってスライド自在にガイドされる可動刃２１と、可動刃２１を固定刃２０側に押さえる押さえバネ２３と、カバー２２とから構成される。カバー２２には、肌伸ばし用の弾性体で構成されたリブ２２ａが一体に形成されている。押さえバネ２３は、その垂直平板部３９がカバー２２にばね止め突起４０との係合で取り付けられており、トリマー基台３５の両端の突起３５１がカバー２２の孔２２ｂにシールをされて取り付けられる時、垂直平板部３９がカバー２２とトリマー基台３５との間で挟持固定された状態で複数のばね片４２を可動刃２１の上面に接触させるようになっている。
【００１６】
肌当たりガイド３は図５に示されるように両端に一対のフック３ａ，３ａとＬ字形の一対のリブ３ｂ，３ｂと肌当たりガイド３を上方へ付勢するための押し上げバネ１００を取り付けるための一対のリブ１０１，１０１とを備えたものであり、図５、図６における刃フレーム４の短手方向の内壁面に形成されている二対の係止溝４ａにフック３ａを差し込むようにしてある。ここで、フック３ａは上方向への抜け止めとなっている。また、肌当たりガイド３の両端リブ１０１，１０１に取り付けられ、上方への付勢力を与えている押し上げばね１００の他方は、刃フレーム４に設けられた突起４１にそれぞれ係合されている。
【００１７】
また、トリマー基台３５は、図５に示されるように下方に向けて一対の係止片４３，４３と一対の係止溝３５２，３５２と中央部に一対の薄肉弾性片３５３，３５３で支持された平板部３５ａと後述の肌当たりガイド３に係合される一対のフック３５４，３５４とを備えたものであり、刃フレーム４における短手方向の内壁面に形成されている二対の係止溝４ｂ，４ｂに係止片４３，４３が差し込まれ、さらに、一方が刃フレーム４の上部側の係止溝４ａに差し込まれた肌当たりガイド３のフック３ａの他方がトリマー基台３５の係止溝３５１に差し込まれるようになっており、これにより肌当たりガイド３によってトリマー刃２も上方へ付勢されるようになっている。
【００１８】
ここで、肌当たりガイド３の一対のリブ３ｂにトリマー基台３５のフック３５４，３５４が肌当たりガイド３の下面で係合されることで上方への抜け止めがされ、下方への抜け止めは、刃フレーム４の係止片４７を係止片４３の上端の壁に当てることで行われる。これによりトリマー基台３５が肌当たりガイド３のフック３ａとリブ３ｂに係合されることでトリマー刃２と肌当たりガイド３の一体となったフロートが可能となっている。
【００１９】
さらに、可動刃２１を往復駆動させるためのトリマー駆動子６は、その上端部がトリマー基台３５に設けられた長孔３５５と固定刃２０に設けられた長孔２０ａを介して可動刃２１の角孔２１ａに係合される。一方、トリマー基台３５の略中央部に設けられたボス３５６にトリマー駆動子６の略中央にある孔６ａが係合される。尚、トリマー基台３５のボス３５６の両端にあるフック３５７，３５７はトリマー駆動子６に係合され、トリマー駆動子６の抜け止めをしている。
【００２０】
上記トリマー駆動子６の可動刃２１と反対側は、連結駆動子２１０のＵ字状のリブ２１１に上下方向に摺動自在に且つ着脱自在に係合されており、連結駆動子２１０が揺動を行う時、トリマー駆動子６の連結駆動子２１０に係合されているところは同方向の揺動をするが、トリマー基台３５のボス３５６を支点として可動刃２１は連結駆動子２１０とは反対方向に揺動される。
【００２１】
刃フレーム４のトリマー刃２が取り付けられるどちらか一方の外壁面には凹部４ｃが形成されており、この凹部４ｃには図５に示されるように中央に後述のロックボタン７をスライドさせるための長孔４ｄと、トリマースライドボタン７０のＬ字状のリブ７０ａとフック７０ｂをスライドさせるための一対の長孔４ｅ，４ｆが設けられている。
【００２２】
トリマースライドボタン７０には中央に丸孔７１が設けられ、丸孔７１の刃フレーム４側の面の周囲には丸孔７１の径だけカットされた円状の溝７２が形成され、さらに一対のフック７０ｂとＬ字状のリブ７０ａが備えられている。この丸孔７０にはロックボタン７がスライド自在に嵌め込まれているが、ロックボタン７にもトリマースライドボタン７０に設けられた円状の溝７２と同形状のリブ７ｂが設けられており、これがロックボタン７の回転方向の動きを止めている。
【００２３】
トリマースライドボタン７０は刃フレーム４を介してトリマー基台３５の係止片４３，４３にフック７０ｂで連結される。
ここで、トリマー基台３５の係止片４３に連結されたフック７０ｂと係止片４３の可動刃２１の往復動方向と直交する方向にはトリマー刃２のフロートをスムースにさせるための隙間を設けている。
【００２４】
トリマースライドボタン７０にスライド自在に取り付けられたロックボタン７は、常時トリマー基台３５の平板部３５０の薄肉弾性片３５３によって刃フレーム４に対して外側へ付勢され、トリマー刃２のフロート時にはリブ３５３ａによって付勢されている。
このとき、ロックボタン７の一対のリブ７ａが刃フレーム４の長孔４ｄの内側面に設けられたリブ４ｇによってトリマースライドボタン７０の上方へのスライドを止めている。
【００２５】
ロックボタン７を押すと平板部３５ａが図１２に示されるように内側に撓み、同時にロックボタン７の一対のリブ７ａも刃フレーム４のリブ４ｇから外れる。このとき、トリマースライドボタン７０のＬ字状のリブ７０ａが平板部の突起３５３ａに係合される。トリマースライドボタン７０を上方へスライドさせると、肌当たりガイド３のリブ３ｂに略半分係合されているトリマー基台３５のフック３５４の残りの略半分が刃フレーム４の内側面に設けられたリブ４ｈの上にフック３５４が乗り上げられて図１３に示されるように肌当たりガイド３のリブ３ｂからの係合が外れて肌当たりガイド３を上方へと押し上げることなくトリマー刃２のみ突出される。トリマー刃２が狙いの高さまで上がり、ロックボタン７とトリマースライドボタン７０の押圧がなくなると、刃フレーム４のリブ４ｇがロックボタン７のリブ７ａと係合され、トリマースライドボタン７０の下方へのスライドを止める。ここで、肌当たりガイド３は、トリマー基台３５の係止溝３５２の下端に設けられたフック３５２ａにより、下方へのスライドを阻止されている。
【００２６】
トリマー刃２を下げて肌当たりガイド３と一体のフロート状態とさせるためには再びロックボタン７を押すとロックボタン７のリブ７ａが刃フレーム４のリブ４ｇより外れてトリマースライドボタン７０を下方へスライドさせるとトリマースライドボタン７０のフック７０ｂがトリマー基台３５の係止片４３を押し下げる。このとき、トリマー基台３５のフック３５４は上げた時と同様に刃フレーム４のリブ４ｈに乗り上げられるため肌当たりガイドのリブ３ｂを押し下げることなく肌当たりガイド３とトリマー刃２を連結させることができる。
【００２７】
以上のようにトリマー刃２を肌当たりガイド３にフック３５４で係合させることにより肌当たりガイド３とトリマー刃２が一体にフロートするものであっても、トリマー刃２を肌当たりガイド３に対して独立して突出させることを容易にさせることができる。
これによって、仕上げ剃り時には肌当たりガイド３とトリマー刃２の一体フロートによってトリマー刃２による刺激や肌当たりが悪くなることがなく、図１４乃至図１６に示されるように肌面の凹凸や傾斜にトリマー刃２、主刃１が追従し、また、粗剃りや際剃り時にも毛が狙い易く剃り易いため、剃り残しがなくて速く短く剃ることができる。
【００２８】
また、図１７に示されるようにトリマー刃２のトリマー基台３５の肌当たりガイド３側に凹部３６０を設けて肌当たりガイド３との間に隙間を設けることによって毛屑がその隙間を通り刃フレーム４内に入るため、トリマー刃２に毛屑が溜まることがなく、常に切れ味の良好なものとすることができる。
また、図１８に示されるように肌当たりガイド３と刃フレーム４の接触面積Ｓ１（図１８中紙面左側の斜線部分）よりも肌当たりガイド３とトリマー刃２の接触面積Ｓ２（図１８中紙面右側の斜線部分）を小さくすることでトリマー刃２が突出された状態で石鹸剃り後放置されて石鹸が固まったとしてもトリマー刃２を肌当たりガイド３と一体にさせるためにトリマー刃２を下げるとき接触面積の小さいトリマー刃２と肌当たりガイド３が先に固着より外れるため、肌当たりガイド３と連動せずにトリマー刃２だけを下げて肌当たりガイド３と一体とさせることができる。
【００２９】
また、図１９に示されるように肌当たりガイド３の肌と接するところをコーム形状にすることによって仕上げ剃りのときに、長い毛やくせ毛でも導入しやすくなるために速く短く剃ることができる。
次に図２０、図２１には肌当たりガイド３とトリマー刃２がリンク５０で係合されている実施形態を示しているが、これは、肌当たりガイド３にボス５１によって所定の範囲での回転が可能に軸５２によって取り付けられたリンク５０がトリマー基台３５のボス３３３と係合されており、トリマー刃２をフロートさせようとするとボス５１によって右回りの回転が不可能なリンク５０とトリマー基台３５が係合されて肌当たりガイド３と一体にフロート可能となっている。トリマー刃２を突出させようとすると（ロックボタン７とトリマースライドボタン７０の動作説明省略）左回りの回転が可能なリンク５０が図２１（ｂ）に示されるように回転し、トリマー基台３５のボス３３３より外れてトリマー刃２が独立して突出される。トリマー刃２を下げるときは肌当たりガイド３は刃フレーム４に設けられたリブ４４４にリンク５０が当たり、下方へ移動する動きを止められるため、図２１（ｃ）に示されるようにトリマー刃２の下方への移動に連動されることなくトリマー刃２を肌当たりガイド３に係合することができる。
【００３０】
以上のように肌当たりガイド３とトリマー刃２をリンク５０で係合させることでトリマー刃２と肌当たりガイド３が一体にフロートでき、トリマー刃２を上方へ独立して突出させることができる。
また、図２２乃至図２５には肌当たりガイド３が独立して下方へ移動し、トリマー刃２が突出状態となる実施形態を示している。
【００３１】
以下、この実施形態につき詳述すると、先ずトリマー基台３５にはトリマー刃２を上方へ付勢させフロート自在とさせるための押し上げばね１００がトリマー基台３５のリブ１０１と刃フレーム４の突起４１によって取り付けられており、トリマー基台３５の刃フレーム４への取り付けはトリマー基台３５の一対の係止片４３が刃フレーム４の係止部４６を構成する係止溝４ｂへ差し込まれ、さらに両端フック３ａが刃フレーム４の二対の係止溝４ａに差し込まれる。このフック３ａが係止溝４ａの上面に当たることで上方への抜け止めがされ下方への抜け止めはトリマー基台３５の係止片４３の上面が刃フレーム４の係止溝４ｂの上面に当たることでなされている。
【００３２】
肌当たりガイド３には一対のフック３９０と弾性を有する一対のフック３９１と、中央に孔３９２ａの開いた係止片３９２が備えられている。
肌当たりガイド３のトリマー刃２への係合は、肌当たりガイド３の一対のフック３９０がトリマー基台３５の係止片４３に取り付けられ、これが肌当たりガイド３の上方への抜け止めとなる。さらに、一対の弾性を有するフック３９１がトリマー基台３５の係止片４３に設けられたリブ４３ａの上面に係合される。
【００３３】
これらの係合によって肌当たりガイド３とトリマー刃２の一体フロートが可能となっている。
次に肌当たりガイド３の独立した下方への移動について説明すると、肌当たりガイド３を下方へ独立して移動させるために刃フレーム４にはロックボタン７とトリマースライドボタン７０が取り付けられている。トリマースライドボタン７０は一対のフック７０ｂが備えられ、これが刃フレーム４のリブ４４４に係合される。ロックボタン７はトリマースライドボタン７０の中央にある孔に回転方向の動作が不可能で可動刃２１の往復方向に対し直角な方向には摺動自在に取り付けられている。
【００３４】
ロックボタン７には、刃フレーム４の長手方向に一対のボス７７ｂと中央にはボス７７ｂよりも低いボス７７ａが刃フレーム４の内面へ向かって設けられている肌当たりガイド３を下げるために先ずロックボタン７を押圧するとボス７７ｂがトリマー基台３５の係止片３９２を図２４に示されるように内側に倒す。
内側に倒れたトリマー基台３５のリブ３９２は刃フレーム４のＬ形のリブ４４４ａに係合され下方への移動が可能となる。同時にロックボタン７の中央に設けられたボス７７ａが肌当たりガイド３の係止片３９２の孔３９２ａに挿入され、トリマースライドボタン７０を下げると肌当たりガイド３もトリマー刃２に対し独立して下方へ下がる。このとき、トリマー基台３５のリブ４３ａの上面に係合されていた肌当たりガイド３の弾性を有したフック３９１が中央に沿って係合が外れるようになっている。
【００３５】
以上のように肌当たりガイド３が独立して下方へ移動してトリマー刃２が突出状態となっても、図２５に示されるように長い毛や際剃りが容易にできるだけでなく、トリマー刃２と肌当たりガイド３が一体となってフロートするために肌の凹凸や傾斜にも主刃１とトリマー刃２が肌に追従し速く短く剃り上げることができる。
【００３６】
【発明の効果】
請求項１の発明は、トリマー刃と肌当たりガイドが、刃フレームに対して、主刃とは独立して一体にフロート自在であり、且ついずれか一方が上下方向に移動してトリマー刃が独立して突出状態になるようになっているので、トリマー刃が独立して突出状態となることによって、際剃り時に毛が狙い易く剃り易いというだけでなく、仕上げ剃り時においても、肌当たりガイドとトリマー刃の一体フロートによってトリマー刃による刺激や肌当たりが悪くなることがなく、肌の凹凸や傾斜にトリマー刃・主刃が肌面に追従するために剃り残しがなく、速く短く剃ることができるものである。
【００３７】
また、トリマー刃が肌当たりガイドに対して独立して突出するようにしてあるので、毛が狙い易く際剃りを容易にすることができるものである。
請求項２の発明のように、肌当たりガイドがトリマー刃に対して独立して下方へ下がるようにしても毛が狙い易く際剃りを容易にすることができるものである。
【００３８】
請求項３の発明は、請求項１において肌当たりガイドとトリマー刃がフックで結合されているので、請求項１の効果に加えてトリマー刃を独立して突出させる際のボタンにおける操作力を小さくすることができるため、容易にトリマー刃の上下操作をすることができるものである。
請求項４の発明は、請求項１において肌当たりガイドとトリマー刃がリンクで結合されているので、請求項１の効果に加えて肌当たりガイドとトリマー刃がリンクで結合されていても、特に、突出されたトリマー刃を下げる際に肌当たりガイドがそれに連動されて一緒に下がることなく、確実にトリマー刃の上下操作をさせることができるものである。
【００３９】
請求項５の発明は、請求項１においてトリマー刃が突出した状態で肌当たりガイドとトリマー刃の間に隙間を設けてあるので、請求項１の効果に加えて従来はトリマー刃と肌当たりガイド間に溜まっていた毛屑が刃フレーム内に落としこまれることとなり、仕上げ剃りをする際のトリマー刃を下げて使用する時に、トリマー刃と肌当たりガイド間に毛屑が溜まっていないために良好な切れ味とすることができるものである。
【００４０】
請求項６の発明は、請求項１において刃フレームと肌当たりガイドの接触面よりも、肌当たりガイドとトリマー刃の接触面と小さくしたので、請求項１の効果に加えて石鹸剃りをした後、その石鹸がトリマー刃・肌当たりガイド間と肌当たりガイド・刃フレーム間に固着しても、接触面の小さなトリマー刃・肌当たりガイド間の方が先に固着より外れるため肌当たりガイドがトリマー刃に連結されることなく確実にトリマー刃の上下動作をさせるころができるものである。
【００４１】
請求項７の発明は、請求項１において肌当たりガイドがコーム形状からなるものであるので、請求項１の効果に加えてトリマー刃への毛の導入が良くなるため、より速く短く仕上げることができるものである。
【図面の簡単な説明】
【図１】本発明の一例を示す斜視図である。
【図２】同上の平面図である。
【図３】同上の上部の側断面図である。
【図４】上部の一部破断した正面図である。
【図５】上部の分解斜視図である。
【図６】トリマースライドボタンの取り付け状態を説明する一部破断した斜視図である。
【図７】駆動子と連結駆動子を示す斜視図である。
【図８】トリマー刃の作用を示す側断面図である。
【図９】トリマー刃と主刃の作用を示す側断面図である。
【図１０】トリマー刃と主刃の作用を示す側断面図である。
【図１１】トリマー刃と主刃の作用を示す側断面図である。
【図１２】トリマー刃と主刃の作用を示す側断面図である。
【図１３】トリマー刃の作用を示す部分拡大断面図である。
【図１４】トリマー刃と主刃の作用を説明する説明図である。
【図１５】トリマー刃と主刃の作用を説明する説明図である。
【図１６】トリマー刃と主刃の作用を説明する説明図である。
【図１７】トリマー刃の作用を説明する説明図である。
【図１８】接触面積を説明する説明図である。
【図１９】他の実施形態を示す斜視図である。
【図２０】上部の一部破断した正面図である。
【図２１】（ａ）（ｂ）（ｃ）はリンクの作用を説明する説明図である。
【図２２】上部の一部破断した正面図である。
【図２３】トリマー刃の作用を示す側断面図である。
【図２４】トリマー刃の作用を示す部分拡大断面図である。
【図２５】トリマー刃と主刃の作用を説明する説明図である。
【符号の説明】
１  主刃
２  トリマー刃
３  肌当たりガイド
３ａ  フック
４  刃フレーム
５０  リンク
【図１】
0003557778.tif 000002
【図２】
0003557778.tif 000003
【図３】
0003557778.tif 000004
【図４】
0003557778.tif 000005
【図５】
0003557778.tif 000006
【図６】
0003557778.tif 000007
【図７】
0003557778.tif 000008
【図８】
0003557778.tif 000009
【図９】
0003557778.tif 000010
【図１０】
0003557778.tif 000011
【図１１】
0003557778.tif 000012
【図１２】
0003557778.tif 000013
【図１３】
0003557778.tif 000014
【図１４】
0003557778.tif 000015
【図１５】
0003557778.tif 000016
【図１６】
0003557778.tif 000017
【図１７】
0003557778.tif 000018
【図１８】
0003557778.tif 000019
【図１９】
0003557778.tif 000020
【図２０】
0003557778.tif 000021
【図２１】
0003557778.tif 000022
【図２２】
0003557778.tif 000023
【図２３】
0003557778.tif 000024
【図２４】
0003557778.tif 000025
【図２５】
0003557778.tif 000026